(57)【要約】【課題】老人等の外出中における緊急事態に際し、通報者の簡単な操作で所定の通報先に簡易に且つ正確に必要な情報を通報できる緊急通報装置の提供。【解決手段】専用の緊急通報用キー、位置特定機能、移動中か否かを検知する移動検知機能、緊急通報操作が正しくなされたか否かを通報者に確認するための音声信号および緊急通報である旨を被通報者に音声で通報するための音声信号の記憶機能、および音声およびデータ通信機能を有し、緊急通報専用キー操作が正しくなされたことを確認した後事前に設定されている通報先に通信ネットワーク経由で接続して緊急通報を行う緊急通報装置。【選択図】　　　　　　　　図２
2004048134.tif 000002
【特許請求の範囲】
【請求項１】
誤操作による誤発信防止機能を有し、正しく緊急通報であることを確認後、事前に設定された通報先に通信ネットワーク経由で接続され、必要な緊急通報情報を自動通報することを特徴とする緊急通報装置。
【請求項２】
請求項１にあって、緊急通報発信用に専用キーあるいは専用押しボタンスイッチを有することを特徴とする緊急通報装置。
【請求項３】
請求項１にあって、緊急通報発信用に電源用キーあるいは電源用押しボタンスイッチを兼用することを特徴とする緊急通報装置。
【請求項４】
請求項１にあって、緊急通報操作が正しく緊急通報操作なのかあるいは誤ってなされたものかを音声によって確認する機能を有することを特徴とする緊急通報装置。
【請求項５】
請求項１にあって、通報先に緊急通報である旨を音声で自動伝達する機能を有することを特徴とする緊急通報装置。
【請求項６】
請求項１にあって、ＧＰＳ受信機等の位置特定機能を有することを特徴とする緊急通報装置。
【請求項７】
請求項６にあって、ＧＰＳ受信機等での位置特定を行った際の時刻を特定できる時刻特定機能を有することを特徴とする緊急通報装置。
【請求項８】
請求項６にあって、本緊急通報装置所持者が移動中であることを検出する移動検出機能を有することを特徴とする緊急通報装置。
【請求項９】
請求項８にあって、ＧＰＳ受信機等の位置特定機能は、移動検出機能が本緊急通報装置所持者が移動中であることを検出してから一定時間動作することを特徴とする緊急通報装置。
【請求項１０】
請求項１にあって、緊急通報情報中に緊急通報者が正しく緊急通報装置所持者であることを確認可能な情報を含むことを特徴とする緊急通報装置。
【請求項１１】
請求項１０にあって、画像撮影機能および撮影した画像の伝送機能を有することを特徴とする緊急通報装置。
【請求項１２】
請求項１にあって、緊急通報後は通常の携帯電話としての機能を有することを特徴とする緊急通報装置。
【請求項１３】
請求項１にあって、携帯電話機、ＰＤＡ、携帯型パーソナルコンピューター、腕時計、歩数計、眼鏡、その他高齢者が携帯可能な形態であることを特徴とする緊急通報装置。
【発明の詳細な説明】
【０００１】
【発明が属する技術分野】
本発明は、老人等が単独で外出した際発生した体調不良等の緊急事態に、簡単な操作でしかも正確・確実に緊急通報ができる携帯型緊急通報装置に関する。
【０００２】
【従来の技術】
単独外出中の老人等の緊急事態時に、簡単な操作で正確・確実に必要な情報を伴っての緊急通報ができる小型・軽量且つ安価な携帯用装置が広く要望されているが、未だそれら要望を完全に満たした装置の実現に至っていない。
【０００３】
【発明が解決しようとする課題】
本発明は、単独で外出中の老人等に発生した緊急事態に対応して、簡単な操作で所定の通報先に必要な情報を正確且つ確実に通報できる小型・軽量且つ安価な緊急通報装置を実現しようとするものである。
【０００４】
【課題を解決するための手段】
位置特定機能を有し、且つネットワークに接続可能な端末、例えばＧＰＳ受信機付の携帯電話等、を利用し、その端末に緊急通報専用キーあるいは緊急通報専用押しボタンスイッチを設け、前記緊急通報用キーあるいは緊急通報用押しボタンスイッチが押されたとき、あらかじめ設定されている緊急通報先に前記ネットワーク経由で緊急通報の発信を行う。
【０００５】
ただし、緊急通報端末所持者の緊急通報操作は、前記緊急通報用キーあるい緊急通報用押しボタンスイッチを一定時間以上押し続ける、あるいは一定時間内に２度押す等の簡単ではあるが確実な操作を要求することにより誤操作による誤発信を防止するとともに、前記操作が行われた後その操作が正しく緊急通報なのか否かを通報者に確認し、確認が取れたとき始めて前記緊急通報の発信を行う。このような操作によって所定の通報先に必要な情報、例えば緊急通報であることの音声による通報、通報者の現在位置情報、通報者が端末所持者であることの確認情報等の緊急通報情報が正しく且つ自動的に通報される。
【０００６】
また、前記緊急通報用キー、緊急通報用押しボタンスイッチに代えて、端末の電源スイッチを兼用することも考えられる。すなわち端末に電源が入っていない場合電源スイッチを押しその後一定時間内に他のキー操作が行われないときは緊急通報であるとして、その後の動作すなわち前記緊急通報確認動作以降の動作に移行する。
【０００７】
また、端末として、携帯電話機以外に、携帯型のパーソナルコンピューター、ＰＤＡ、腕時計、歩数計、眼鏡、帽子、その他携帯可能なものにＧＰＳ受信機等の位置特定機能、ネットワーク接続による通信機能を付加したものも利用可能とする。
【０００８】
【実施例】
以下、本発明の実施例について図１、図２、図３、図４を用いて説明する。
【０００９】
図１は本発明による緊急通報装置を含む緊急通報システム例を示す。
図１において、
１は、通報者側端末（緊急通報装置）、
２は、通信ネットワーク、
３は、被通報者側端末、
である。
【００１０】
図２に前記通報者側端末１すなわち緊急通報装置の構成例を示す。
図２において、
１０は、音声通信およびデータ通信が可能な携帯電話機、
１１は、緊急事態時、通報者がこれを一定時間押すことによって通報者側端末１の緊急通報動作が開始される緊急通報用専用の押しボタンスイッチ、
【００１１】
１２は、前記緊急通報用押しボタンスイッチ１１の状態を監視し、その状態に対応して後述のカメラ１３、緊急通報先メモリ１６、音声メモリ１７、画像メモリ１８、位置情報メモリ１９を制御する制御部である。
即ち、緊急通報用押しボタンスイッチ１１が一定時間押されたことを検知すると、後述の音声メモリ１７に記憶されている緊急通報動作確認用音声信号を携帯電話機１０の音声増幅部に入力して前記携帯電話機１０から音声出力させて、通報者に緊急通報が正しいか否かの確認のための音声による問いかけを行い、通報者が正しい緊急通報であるとして再度緊急通報用押しボタンスイッチ１１を一定時間押すとそれを検知して正しく緊急通報であることを確認し、後述の緊急通報先メモリ１６にあらかじめ設定・記憶されている緊急通報先の電話番号を前記携帯電話機１０に入力して発呼開始する。
【００１２】
あわせてカメラ１３で通報者の顔を撮影してその画像情報を画像メモリ１８に記憶させ、前記発呼により通報者側端末１が通信ネットワーク２経由被通報者側端末２に接続完了した後は、通報者側から被通報者に緊急通報である旨音声で通報するための音声信号を後述の音声メモリ１７から携帯電話機１０に入力して被通報者側に送信せしめ、さらに前述の画像メモリ１８に記憶された通報者の顔の画像情報および後述のＧＰＳ受信機１５の出力である位置情報・時刻情報を記憶している後述の位置メモリ１９から位置情報およびそれが特定された時刻を携帯電話機１０に順次入力して被通報者側に送信する制御を行う。
【００１３】
１３は、前記制御部１２の制御により、通報者の顔を撮影しその画像データを画像メモリ１８に記憶させるカメラであり、前記撮影された顔の画像は携帯電話機１０で被通報者側端末３に送信され、被通報者側ではその画像から通報者が正しく端末所持者か否かの確認を行う。
【００１４】
１４は、通報者が歩行中か否かを判定して歩行中あるいは歩行停止して一定時間以内であれば一定時間おきにＧＰＳ受信機で通報者側端末の位置を特定せしめ、歩行中でなくなって一定時間経過後以降はＧＰＳによる通報者側位置の特定を停止せしめる移動センサ−であり、前記位置特定動作の制御により不要な状況での位置特定の無駄を省くことができる。また歩行中か否かは一般の歩数計と同様加速度で検出する。
【００１５】
１５は、前記移動センサー１４によってその動作が制御され、通報者端末１の位置を特定しその特定した位置情報および前期位置情報特定時刻を後述の位置メモリ１９に記憶させるＧＰＳ受信機。
１６は、緊急時通報すべき相手先の電話番号を記憶する緊急通報先メモリであり、この通報先は事前に設定される。
【００１６】
１７は、前記緊急通報確認用音声信号、および被通報先に緊急通報が発信された後被通報者側が被通報者側端末３の携帯電話機３０を取り上げたとき、この通報が緊急通報である旨の音声を携帯電話機３０から被通報者に出力するため緊急通報音声信号を記憶しておく音声メモリ、
１８は、前記カメラ１３で撮影した通報者の画像を記憶する画像メモリ、
１９は、前記ＧＰＳ受信機の最新の出力信号である通報者位置情報をそれが計測された時刻情報とともに記憶する位置メモリ、
である。
【００１７】
図３に前記被通報者側端末３の構成例を示す。
図３において、
３０は、音声通信およびデータ通信が可能な携帯電話機、
３１は、地図データ記憶部、
３２は、表示部、
であり、地図データ記憶部３１は、携帯電話機３０の出力信号である位置情報に対応する地図データを抽出し、表示部３２上に前記抽出した地図データと合わせて前記位置情報およびその測定時刻情報を表示する。
なお、表示部３２には前記位置関連情報と合わせて通報者側端末１から送られる通報者の顔の画像も表示される。
【００１８】
これら図１、図２、図３に示す構成例の動作を図４の通報者側端末１―被通報者側端末３間のデータの流れを示す動作説明図を用いて説明する。
通報者は緊急事態が発生した場合、通報者側端末１の緊急通報押しボタンスイッチ１１を押す。前記緊急通報用押しボタンスイッチ１１が一定時間以上押されたことを検知した制御部１２は音声メモリ１７から緊急通報動作確認用音声情報を取り出して携帯電話機１０に入力して音声で通報者に正しい緊急通報であれば再度緊急通報用押しボタンスイッチを一定時間以上押すように指示する。
【００１９】
前記確認動作の結果正常な緊急通報であると確認できた制御部はカメラ１３で通報者の顔を撮影しそのデータを画像メモリ１８に記憶する。また制御部１２は、緊急通報先メモリの記憶内容を携帯電話機１０に入力し、携帯電話機１０は通信ネットワーク２経由で被通報者側端末３の携帯電話機３１に接続されるべく発呼される。
【００２０】
この結果、通報者側端末１が被通報者側端末３に接続され（図４▲１▼）、それを検知（図４▲２▼）した制御部１２は音声メモリ１７から緊急通報である旨の音声情報を、位置メモリ１９から位置情報および位置情報が特定されたときの時刻情報を、画像メモリから通報者の顔の画像情報を、順次携帯電話機１０に入力し、被通報側端末３にむけて送信する（図４▲３▼、▲４▼、▲５▼）。
【００２１】
通報者側端末１から送信された緊急通報情報は、被通報者側端末３において、緊急通報である旨の音声情報は携帯電話機３０からの音声出力として、また通報者位置情報、画像情報は各々地図データ記憶部３１から抽出された前記通報者位置情報に対応する地図データとして通報者位置情報およびその測定時刻情報と合わせて、あるいは通報者の顔の画像情報として表示部３２に同時にあるいは順次表示される。
【００２２】
これら情報を受けた被通報者は、通報者の顔の画像からこの緊急通報が正しく通報者側端末所持者からの通報であることを確認し、さらに地図上に表示されている通報者の位置から通報者の現在位置を知る。ただし、地図上に同時に表示されている位置情報特定時の時刻が、現在時刻からずれているときは、現在の通報者位置が通報された位置からずれている恐れがあることを知ることもできる。
【００２３】
これらの情報だけで最低限の緊急通報となりうるが、必要に応じて被通報者側から通報者側に対して携帯電話の通話機能を使って音声で、緊急通報有無の確認、通報者の確認、あるいは通報者の緊急状態の確認を行うことができることは言うまでもない。
【００２４】
ただし、通報者側端末１から通報される情報は、通信ネットワーク２内のサービスプロバイダー（図示せず）で情報の一部を加工・付加することも考えられる。例えば、通報者側端末１から送られる緯度・経度で現されている通報者位置情報をそれに対応する地図上に表示する等である。このように通信ネットワーク上で情報の加工・付加ができれば、被通報者側端末３にそのための情報およびそれを用いての加工機能、例えば地図データを記憶しておくことおよび前記地図データ中から通報者側から送られてくる位置情報に対応した地図データを抽出してその上に位置情報を表示する等の前記地図データ記憶部３１の機能は必要なくなり、前記サービスプロバイダーから送られてくる地図データおよび地図上の位置情報を表示部３２に表示するだけでよいことになる。
【００２５】
【発明の効果】
以上の説明から明らかなように、本発明は、単独で外出中の老人等に発生した緊急事態に対応して、老人等の通報者側の簡単な操作で所定の通報先に正しい緊急通報を必要な情報とともに確実に通報できる小型・軽量・安価で且つ高信頼な緊急通報装置を提供することができる。
【図面の簡単な説明】
【図１】本発明によるの緊急通報装置を含む緊急通報システム例、
【図２】本発明による緊急通報装置通報者側端末構成例、
【図３】本発明による緊急通報装置被通報者側端末構成例、
【図４】本発明による緊急通報装置通報者側端末と被通報者側端末間の情報の流れを示す説明図、
である。
【符号の説明】
図１において、
１：通報者側端末（緊急通報装置）
２：通信ネットワーク
３：被通報者側端末
図２において、
１０：携帯電話機
１１：緊急通報用押しボタンスイッチ
１２：制御部
１３：カメラ
１４：移動センサー
１５：ＧＰＳ受信機
１６：緊急通報先メモリ
１７：音声メモリ
１８：画像メモリ
１９：位置情報メモリ
図３において、
３０：携帯電話機
３１：地図データ記憶部
３２：表示部
である。
【図１】
2004048134.tif 000003
【図２】
2004048134.tif 000004
【図３】
2004048134.tif 000005
【図４】
2004048134.tif 000006